(57)【要約】      （修正有）【課題】判読可能な状態に名刺を撮影し、名刺の情報を容易に整理し管理することができる名刺管理用補助具を提供する。【解決手段】名刺整理器２の蓋部の上面に、所定角度をもって名刺３を係止させる名刺係止部２０と、そこから所定距離離れた位置において、名刺の係止角度と略同一の角度をもってカメラ付き携帯電話５を保持するカメラ保持部３０と、を備えてなる名刺管理用補助具１を形成した。名刺係止部からカメラ保持部までの距離を、携帯電話に搭載されたカメラが、名刺係止部に当接された状態の名刺の全領域を撮影することができるように設定することで、被写体に対して最適な位置でカメラを固定させて名刺を撮影できるようにした。【選択図】図２
2014038317.tif 000002
【特許請求の範囲】
【請求項１】
平面部材（１０）の上面に、該上面に対して所定角度をもって名刺（３）を係止させる名刺係止部（２０）と、該名刺係止部（２０）から所定距離離れた位置において、前記所定角度と略同一の角度をもってカメラ（５）を保持するカメラ保持部（３０）と、を備えてなる名刺管理用補助具。
【請求項２】
前記名刺係止部（２０）は、前記平面部材（１０）の上面から７０°〜８５°の角度をもって切り込まれた溝部であり、該溝部に、一側方から挿入された名刺（３）の端縁（３ａ）を当接させる当接部（２１）を設けたことを特徴とする請求項１に記載の名刺管理用補助具。
【請求項３】
前記カメラ保持部（３０）の底面を、摩擦係数の高いすべり止め部材で形成すると共に、  前記溝部（２０）から前記カメラ保持部（３０）までの距離を、携帯電話に搭載された前記カメラ（５）が、前記当接部（２１）に当接された状態の前記名刺の全領域を撮影することができる距離に設定したことを特徴とする請求項２に記載の名刺管理用補助具。
【請求項４】
名刺（３）を収容するための有底無蓋の容器部（４）と、該容器部（４）を覆う蓋部からなる名刺管理用補助具（１）であって、前記平面部材（１０）は、前記蓋部に構成されたことを特徴とする請求項１〜請求項３の何れか１つの請求項に記載の名刺管理用補助具。
【請求項５】
前記平面部材（１０’）は、名刺を収容するための容器部（４’）の底面部にスライド可能に収納されたことを特徴とする請求項１〜請求項３の何れか１つの請求項に記載の名刺管理用補助具。
【請求項６】
前記平面部材は、名刺を収容するための容器部（２０１）を、それを覆う外箱体（２０２）から引き出すことで構成されたことを特徴とする請求項１〜請求項３の何れか１つの請求項に記載の名刺管理用補助具。
【請求項７】
前記平面部材（３１０）は、名刺を収容するための容器部（３０１）を覆う外箱体（３０２）の底面部にスライド可能に収納されたことを特徴とする請求項１〜請求項３の何れか１つの請求項に記載の名刺管理用補助具。
【請求項８】
前記平面部材（１０”）は、名刺を収容するための容器部（４”）の上面又は側面を展開させて構成されたことを特徴とする請求項１〜請求項３の何れか１つの請求項に記載の名刺管理用補助具。
【請求項９】
名刺を収容するための下ケース（１０１）に、該下ケース（１０１）を覆う上ケース（１０２）を回動可能に取り付けて構成された名刺管理用補助具（１００）であって、前記平面部材は、前記上ケース（１０２）を展開させて前記下ケース（１０１）と同一平面上に位置させることで構成されたことを特徴とする請求項８に記載の名刺管理用補助具。
【発明の詳細な説明】
【技術分野】
【０００１】
本発明は、名刺を管理するための補助具に関し、特に、紙媒体としての名刺を電子情報として整理して管理するための名刺管理用補助具に関する。
【背景技術】
【０００２】
名刺を整理して管理するための用具として、従来から、容器部と蓋部とからなる名刺整理器が提案されている。容器部には、アルファベット等の見出し語を表示した仕切りが設けられており、氏名の頭文字と仕切りの見出し語を対応させ、該当領域に名刺を収容することによって、見出し語を手掛かりとして、名刺へのアクセスを容易にしている。
このようなに名刺整理器において、名刺の出し入れを容易にすべく、例えば、収容部の底部に指孔を形成すると共に側板最下部にカード挿脱用の細溝を形成し、容器の上辺にカード挿脱用の細溝を形成することで、相手から貰った名刺を上部から差し入れ、下部から自分の名刺を取り出して相手に渡すことができるようしたものが提案されている（特許文献１を参照）。
【０００３】
住所や氏名などの名刺に記載された情報は、手帳などに転記して携帯されるが、手帳への転記作業の煩雑さを解消すべく、名刺をそのまま撮影し、画像情報として携帯電話に保存することで、必要に応じて参照できるようにするシステムも普及している。例えば、スマートフォンであるアップル社のｉＰｈｏｎｅ（アップル社が許諾を受けたアイホン社の登録商標）では、搭載されたカメラで撮影した紙媒体の画像を読み込んで、あたかも接写方式のドキュメントスキャナで読み込んだような画像に仕上げるアプリケーションソフトが複数提供されている。
このようなソフトウエアにおいて、連続的な画素の変化から当該紙媒体のエッジを認識して、斜め方向から撮影しているために台形状となっているエッジを方形に補正する技術も提案されている。
【先行技術文献】
【特許文献】
【０００４】
【特許文献１】実用新案登録第３０７１１９８号公報
【特許文献２】特許第４９０４４２６号公報
【発明の概要】
【発明が解決しようとする課題】
【０００５】
しかしながら、上記の補正技術にも関わらず、紙媒体としての名刺を撮影する際に、手ぶれが生じたり、影が入ってしまったりして、撮影された画像が不鮮明なものとなる場合があった。そのため、名刺の内容を判読することができず、正確な電子情報を取得することができない場合があった。
そこで、本発明は、判読可能な状態に名刺を撮影し、名刺の情報を容易に整理し管理することを可能とする名刺管理用補助具の提供を目的とする。
【課題を解決するための手段】
【０００６】
上記課題を解決するために、本発明に係る名刺管理用補助具は、平面部材の上面に、該上面に対して所定角度をもって名刺を係止させる名刺係止部と、該名刺係止部から所定距離離れた位置において、前記所定角度と略同一の角度をもってカメラを保持するカメラ保持部と、を備えてなるものである。
この場合、前記名刺係止部は、前記平面部材の上面から７０°〜８５°の角度をもって切り込まれた溝部であり、該溝部に、一側方から挿入された名刺の端縁を当接させる当接部を設けたことを特徴とするものであってもよい。
この場合、前記カメラ保持部の底面を、摩擦係数の高いすべり止め部材で形成すると共に、前記溝部から前記カメラ保持部までの距離を、携帯電話に搭載された前記カメラが、前記当接部に当接された状態の前記名刺の全領域を撮影することができる距離に設定してもよい。
【０００７】
また、名刺を収容するための有底無蓋の容器部と、該容器部を覆う蓋部からなる名刺管理用補助具であって、前記平面部材は、前記蓋部に構成されていてもよい。
或いは、前記平面部材は、名刺を収容するための容器部の底面部にスライド可能に収納されたものであってもよい。
或いは、前記平面部材は、名刺を収容するための容器部を、それを覆う外箱体から引き出すことで構成されたものであってもよい。
或いは、前記平面部材は、名刺を収容するための容器部を覆う外箱体の底面部にスライド可能に収納されたものであってもよい。
或いは、前記平面部材は、名刺を収容するための容器部の上面又は側面を展開させて構成されたものであってもよい。
この場合、名刺を収容するための下ケースに、該下ケースを覆う上ケースを回動可能に取り付けて構成された名刺管理用補助具であって、前記平面部材は、前記上ケースを展開させて前記下ケースと同一平面上に位置させることで構成されたものであってもよい。
【発明の効果】
【０００８】
請求項１に係る名刺管理用補助具は、所定角度をもって名刺を係止させる名刺係止部と、名刺の係止角度と略同一の角度をもってカメラを保持するカメラ保持部と、を平面部材の上面に備えているので、その平面部材をステージとすることで、最適な位置にカメラを固定した状態で名刺を撮影することがきる。
このため、多数の名刺を連続的に撮影する場合、全ての名刺を同じサイズに撮影することが可能となる。また、名刺に記載された情報を鮮明に撮影することができるので、撮影された画像情報からの文字認識を正確に行うことができる。これによって、紙媒体としての名刺の情報を、画像又はデータなどの電子情報として保持することができ、名刺の整理及び管理が容易になる。
【０００９】
請求項２に係る名刺管理用補助具は、名刺係止部を、平面部材の上面から７０°〜８５°の角度をもって切り込まれた溝部とし、その溝部に、一側方から挿入された名刺の端縁を当接させる当接部を設けたので、カメラによる撮影位置に対し、名刺が横方向にずれるのを防止できる。
請求項３に係る名刺管理用補助具は、溝部からカメラ保持部までの距離を、携帯電話に搭載されたカメラが、溝部に係止された名刺の全領域を撮影することができる距離に設定したので、名刺そのものを画像情報として携帯電話に記憶させることができる。これによって、紙媒体としての名刺を処分することが可能となる。そして、名刺に関わる膨大な情報を、携帯電話のメモリ内に保持させた状態で、持ち歩くことが可能となる。
また、カメラ保持部の底面を、摩擦係数の高いすべり止め部材で形成したので、シャッターを押した際にカメラが動いてしまうのを防止できる。
【００１０】
請求項４に係る名刺管理用補助具は、名刺が収容される容器部の蓋に形成されるので、名刺を容器に保管する前に、手軽に撮影することができる。このため、紙媒体としての名刺を、画像やデータなどの電子情報として保持することができ、名刺を紛失した場合に備えることができる。
請求項５に係る名刺管理用補助具は、名刺係止部とカメラ保持部とを備えた平面部材を、名刺が収容される容器部の底面部から引き出して使用できるので、名刺を容器に保管する前に手軽に撮影することができる。
請求項６に係る名刺管理用補助具は、名刺を収容するための容器部を、それを覆う外箱体から引き出すことによって、名刺を撮影するためのステージが構成されるようにしたので、上記の効果に加え、名刺管理用補助具としてのサイズを極めて小さくすることができる。
【００１１】
請求項７に係る名刺管理用補助具は、容器部を覆う外箱体の底面部から、平面部材を引き出して撮影用のステージとするので、名刺を容器に保管する前に手軽に撮影することができる。
請求項８に係る名刺管理用補助具は、容器部の上面又は側面を展開させて平面部材を構成するので、名刺を容器に保管する前に手軽に撮影することができる。
請求項９に係る名刺管理用補助具は、上ケースを展開させて下ケースと同一平面上に位置させることで平面部材を構成したので、上記の効果に加えて、サイズの小型化が可能となる。
【図面の簡単な説明】
【００１２】
【図１】本発明の第１実施形態に係る名刺管理用補助具が適用された名刺整理器を示す斜視図である。
【図２】上記名刺整理器の蓋を開けて使用する状態を示す斜視図である。
【図３】上記名刺整理器の平面図である。
【図４】名刺係止部の状態を示すＡ−Ａ線矢視拡大断面図である。
【図５】上記名刺管理用補助具の第１変形態様として、平面部材を容器部の底面部にスライド可能に収納させたものを示す斜視図である。
【図６】上記名刺管理用補助具の第２変形態様として、容器部の上面又は側面を展開させて平面部材を構成したものを示す斜視図である。
【図７】本発明の第２実施形態に係る名刺管理用補助具が適用された名刺入れを示す斜視図である。
【図８】上記名刺入れの他の態様として、名刺を収容する容器部を、それを覆う外箱から引き出すことによって、平面部材を構成したものを示す斜視図である。
【図９】上記名刺入れの他の態様として、平面部材を外箱の底面部にスライド可能に収納させたものを示す斜視図である。
【発明を実施するための形態】
【００１３】
本発明の好適な実施形態について、添付図面に基づいて説明する。なお、実施形態は以下の形態に限定されるものではなく、本発明の課題を解決しうるものであれば他の態様も実施可能である。
【実施例１】
【００１４】
図１は、本発明の第１実施形態に係る名刺管理用補助具１である。
この名刺管理用補助具１は、名刺整理器２の蓋部に適用されたものであり、図２に示すように、名刺３を容器部４に収容する前に、スマートフォンなどの携帯電話５に搭載されたデジタルカメラによって撮影する際に、その撮影位置を固定するために使用するものである。
【００１５】
名刺整理器２は、有底無蓋の箱体からなる容器部４と、それを覆う蓋部とによって構成される。
名刺３を収容するための容器部４は、合成樹脂製の部材によって形成されており、内部には、タグ６を設けた仕切り板７が設けられている。仕切り板７のタグ６には、アルファベット等の見出し語が表示されており、氏名の頭文字と仕切りの見出し語を対応させ、該当領域に名刺を収納することによって、見出し語を手掛かりとして、名刺へのアクセスを容易にしている。
本実施形態が適用される名刺整理器２においては、タグ６に見出し語が表示された仕切り板７に加えて、「未処理」である旨を表示するタグ６ａを有する仕切り板７ａが設けられる。この仕切り板７ａによって区画づけられた領域に、保管処理が済んでいない名刺（即ち、撮影されていない名刺）を収納することで、名刺を分別して収納し、両者が混同されないようにしている。
【００１６】
このような容器部４を覆うように、本実施形態の名刺管理用補助具１が適用された蓋体が設けられる。
蓋体の上面は、本発明における平面部材１０であり、携帯電話のカメラ機能を使用して名刺を撮影するためのステージとして機能する。
この平面部材１０としての蓋部上面には、名刺係止部２０とカメラ保持部３０とが設けられている。
【００１７】
名刺係止部２０は、名刺３を起立させて係止するための溝部である。この溝部は、名刺整理器２の蓋部上面の一側部から他側部に向けての切り込みであり、その切り込みの長さは、カメラ保持部３０に保持された際の携帯電話５のカメラ位置と、名刺３の端縁部との位置関係において決定される。
即ち、一側部から名刺３を溝内に挿入し、その端縁部３ａを他側部側の奥壁部２１に当接させることで、名刺３の撮影位置を設定する。このように、溝部の奥壁部２１に、名刺３を当接させることで、名刺３の位置が固定され、カメラ保持部３０との間の距離、及びカメラ保持部３０におけるカメラ位置を特定することが可能となる。
【００１８】
本実施形態において、この名刺係止部２０は、図３に示すように、蓋部上面の幅方向全域に断面台形状の溝を設け、他側部側に同一の断面形状のスペーサ２２を嵌め込むことで奥壁部２１を形成し、一側部側には、図４に示すように、横方向長さが僅かに小さい断面台形状のスペーサ２３を嵌め込むことによって、名刺３を係止させるための傾斜状の溝を形成している。この場合、撮影側の蓋部上面に対して名刺３が約１１０°〜９５°（好ましくは、１００°）の角度で傾斜するように、溝部は、蓋部の上面から７０°〜８５°（好ましくは８０°）の角度ａをもって切り込まれるような傾斜状態が望ましい。
【００１９】
名刺係止部２０の一側部側には、名刺３の挿入を容易にするために、斜めに切り込まれたガイド部２４が設けられている。
この名刺係止部２０から所定距離Ｍだけ離れた位置に、携帯電話５を保持するためのカメラ保持部３０が形成される。なお、名刺係止部２０とカメラ保持部３０と間の距離Ｍは、携帯電話５におけるカメラの位置、画角及び焦点距離などに応じて設定するものとする。
【００２０】
カメラ保持部３０は、携帯電話５を、名刺３と同様の傾斜状態で保持するための部位であり、カメラが設けられている側の携帯電話５の側面が立て掛けられる斜壁部３１と、携帯電話５の底部が載置される底面部３２と、によって構成される。
斜壁部３１は、名刺係止部２０の傾斜状態と同様、蓋部上面から７０°〜８５°（好ましくは８０°）の角度ｂをもって傾斜するように設計されている。
【００２１】
斜壁部３１の所定の位置には、携帯電話５の側端部５ａ係止させるための突起部３３が設けられている。この突起部３３は、名刺係止部２０に保持された際の名刺３の位置関係において決定されるもので、名刺３が横方向にずれることなく、携帯電話５の画面と略同一の大きさに撮影されるような位置に配設されている。
底面部３２は、斜壁部３１に対して直角方向に延びる平面によって構成されており、携帯電話５を載置した際の安定性を高めるために、上面にスポンジを貼り付けている。
【００２２】
上記構成の名刺管理用補助具１を使用して名刺３を撮影し、整理し管理する方法を説明する。
入手した名刺３を名刺整理器２に収納する前に、先ず、蓋部上面の名刺係止部２０に保持させる。この場合、ガイド部２４に案内されながら、溝の一側部から他側部に向けて挿入し、その端縁３ａを奥壁部２１に当接させる。
そして、携帯電話５を、カメラ保持部３０に保持させる。この場合、携帯電話５の側端部５ａを突起部３３に係止させた状態で、底面を載置部３２に載せ、カメラが設けられている側の面を斜壁部３１に立て掛ける。
【００２３】
この状態で、携帯電話５の画面で名刺３の写り具合を確認しながら、シャッターを押す。この際、携帯電話５の載置される底面部３２にスポンジが貼り付けられており、摩擦係数が高い状態となっているので、シャッターを押した際に携帯電話５が動いてしまうのを防止できる。
また、名刺３は溝内の奥壁部２１に当接した状態で保持される上に、携帯電話５は斜壁部３１の突起部３３において係止されているので、カメラが被写体に対して横方向にずれるのを防止でき、携帯電話５の画面から名刺３がはみ出して、写真に切れが生ずるのを防止できる。
【００２４】
さらに、携帯電話５の側面が立て掛けられる斜壁部３１と、名刺係止部２０の溝部の傾斜角度が略同一なので、携帯電話５のカメラを被写体（即ち、名刺）に正対させることが可能となり、紙媒体としての名刺と略同一のものを写真として撮影できる。
この写真を画像情報として携帯電話５の住所録に保持させ、必要に応じて、その画像情報を参照することで、名刺３を整理して管理することができる。名刺３に記載された情報は、画像情報として携帯電話５のメモリ内に保持されているので、撮影後の名刺３は廃棄することが可能となり、大切な名刺３を紛失した場合に備えることができる。
【００２５】
また、名刺３に関わる膨大な情報を携帯電話５のメモリ内に保持させた状態で、持ち歩くことができるので、外出先での不測の事態に対し、それに対応するための連絡先を迅速に入手することが可能となる。
このように、本実施形態に係る名刺管理用補助具１は、所定角度をもって名刺３を係止させる名刺係止部２０と、名刺３の係止角度ａと略同一の角度ｂをもって、カメラ搭載の携帯電話５を保持するカメラ保持部３０とを、名刺整理器２の蓋部の上面に設けたので、名刺３を収納する前に撮影し、その複製を携帯電話５内に保持させることができる。
【００２６】
名刺３の撮影に際しては、被写体に対して最適な位置にカメラを設置し、その携帯電話５を固定させた状態で撮影できるので、紙媒体としての名刺と略同一の複製物を作成することが可能となり、この複製物に関わる画像情報をもとに、文字認識用のソフトウエアによって、正確な言語情報へと変換させることができる。
なお、本実施形態に係る名刺管理用補助具１において、カメラ保持部３０は、携帯電話５を保持するための部位として形成したが、カメラ機能を有するあらゆる機器に合わせて形成すればよい。
【００２７】
また、本発明の平面部材は、図５に示す平面部材１０’のように、名刺を収容するための容器部４の底部に、スライド可能に設けられたものであってもよい。平面部材１０’の上面には、名刺係止部２０’とカメラ保持部３０’とが設けられている。
これらの機能を備えた平面部材１０’を、容器部４’の底面部から引き出して撮影するので、名刺を容器内に保管する前に手軽に撮影することができる。
このような名刺整理器の構成としては、例えば、名刺を収容するための容器部（内箱）を、それを覆う外箱内に引き出し可能に収納させた構造であってもよいし、下ケースとしての容器部に、上ケースを回動可能に取り付けたものであってもよい。
【００２８】
例えば、図６に示すように、名刺を収容するための容器部４”の側面を展開させることで、名刺係止部２０”とカメラ保持部３０”とを備えた平面部材１０”を構成してもよい。
或いは、名刺を収容するための容器部の上面部を展開させることで、平面部材を構成してもよいし、蓋体の裏面部に、名刺係止部とカメラ保持部を設けてもよい。
名刺が収容される容器部を展開したり、蓋を開けたりすることによって、名刺撮影用のステージができるので、名刺を容器に保管する前に手軽に撮影することができる。
【実施例２】
【００２９】
次に、本発明の第２実施例に係る名刺管理用補助具１００を、図７を参照して説明する。
この名刺管理用補助具１００は、携帯用の名刺入れを兼ねたものであり、下ケース１０１と上ケース１０２とを回動自在に結合させたものである。
下ケース１０１は、袋状に形成された容器部１０３によって構成され、開放側の側面部において、上ケース１０２が回動可能に取り付けられる。下ケース１０１の容器部１０３の中に名刺を収納し、上ケース１０２を回動させて下ケースを覆うことで、持ち歩き可能な状態となる。
【００３０】
本実施形態に係る名刺管理用補助具１００は、封止状態から上ケース１０２を展開させ、下ケース１０１と共に平面状にした状態で使用される。
袋状の下ケース１０１の上面部１０４には、所定長の溝部（１２０）が形成されている。この溝部（１２０）は、平面部材の上面において名刺を所定角度ａにて係止させるための名刺係止部１２０として機能する部位である。
【００３１】
即ち、名刺係止部１２０は、下ケース１０１の一側面部１０５を、上縁部から下方に向けて７０°〜８５°（好ましくは、８０°）の角度ａをもって切り込んで構成される。そして、下ケース１０１の幅方向に向けて溝部が延び、そのスリットの先端部において、一側方から挿入された名刺の端縁を当接させるための当接部１２１を形成している。
一方の上ケース１０２の側面部１０６には、カメラ保持部１３０が形成される。
上ケース１０２の側面部１０６は、ケースを封止する際に下ケース１０１の側面部１０５に重ね合わせられる部位であるが、ケースが展開された際には、双方のケースの側面部１０５，１０６の縁部をもって、名刺係止部１２０とカメラ保持部１３０を備えた平面部材が構成されることとなる。
【００３２】
即ち、下ケース１０１の溝部（名刺係止部１２０）から所定距離Ｍ離れた上ケース１０２上の位置に、携帯電話を保持するためのカメラ保持部１３０が形成される。この距離Ｍは、携帯電話に搭載されたカメラが、下ケース１０１の溝部１２０内に保持された名刺が、その端縁を当接部１２１に当接された状態の時に、名刺の全領域を撮影することができる距離に設定されている。
カメラ保持部１３０は、携帯電話を、名刺と略同一の傾斜状態で保持するための部位であり、携帯電話のカメラ側（即ち、撮像側）の側面が立て掛けられる斜辺部１３１と、携帯電話の底部が載置される底辺部１３２と、によって構成される。
【００３３】
斜辺部１３１は、名刺が保持される溝部１２０の傾斜状態と同様、側面部１０６の上縁から７０°〜８５°（好ましくは８０°）の角度ｂをもって傾斜するように設計されている。底辺部１３２には、携帯電話を載置した際の滑りを防止するためのゴム製部材によって縁どりされている。
上ケース１０２の撮影する側の側面部１０７には、携帯電話５のカメラ位置を示すマーク１３３が設けられており、このマーク１３３にカメラ位置を合わせることで、位置ズレすることなく名刺を撮影できるようにしている。
【００３４】
本実施形態に係る名刺管理用補助具１００においても、名刺係止部１２０において名刺を傾斜状に起立させて係止させ、その係止角度と略同一の角度をもってカメラ付きの携帯電話がカメラ保持部１３０において保持するので、被写体に対して最適な位置でカメラを固定させて名刺を撮影することがきる。
これによって、名刺に記載された情報を鮮明に撮影することができ、撮影された画像情報からの文字情報の認識を正確に行うことが可能となり、紙媒体としての名刺を電子情報として整理・管理することが可能となる。
【００３５】
外出時に持ち歩く携帯用の名刺入れによって平面部材が構成されるので、外出先であっても、名刺を鮮明に撮影することができる。外出先で名刺交換を行った場合、オフィスに戻らなくとも、相手の情報を名刺と共に整理して管理できるので、名刺交換の直後の記憶を忘れることなく記録できる。
本実施形態の名刺管理用補助具１００は、名刺を収容するための容器部（即ち、下ケース１０１）の上面と側面を展開させて平面部材（即ち、撮影用のステージ）を構成したが、携帯サイズの名刺入れに適用させるために、例えば、図８に示すように構成してもよい。
【００３６】
図８に示す名刺管理用補助具２００は、名刺を収容するための内箱体（容器部２０１）を、それを覆う外箱体２０２にスライド可能に収納させたものである。外箱体２０２の上面部にスリット状の名刺係止部２２０を形成し、容器部２０１の側縁部に、携帯電話を保持するためのカメラ保持部２３０を形成した。
名刺係止部２２０の傾斜角度ａは、携帯電話を保持するためのカメラ保持部２３０の傾斜角度ｂと略同一になるように設計されている。この名刺係止部２２０も、上記実施形態と同様、上面部から７０°〜８５°の角度をもって切り込まれており、スリットの先端において、一側方から挿入された名刺の端縁を当接させるための当接部２２１を形成している。
【００３７】
カメラ保持部２３０は、上記実施形態と同様、カメラが設けられている側の携帯電話の側面が立て掛けられる斜辺部２３１と、携帯電話の底部が載置される底辺部２３２と、によって構成される。
容器部２０１を外箱体２０２から引き出すことで、名刺係止部２２０とカメラ保持部２３０との間の距離Ｍを確保するようにしたので、極めてコンパクトなサイズとなる。また、容器部２０１を外箱体２０２からスライドさせることによって、名刺の大きさにあわせてピントを合わせることができるので、カメラの種類に応じた撮影が可能となる。
【００３８】
図９に示す名刺管理用補助具３００のように、名刺を収容するための容器部３０１を覆う外箱体３０２に、平面部材３１０を設けてもよい。
この名刺入れも、外箱体３０２に、容器部３０１をスライド可能に収納させて構成されたものであるが、平面部材３１０を、外箱体３０２の底部に収納させた点において図８のものと相違する。
引き出し式の容器部３０１の下段に、引き出し式の平面部材３１０を設けた構造となるので、容器部３０１を外箱体３０２に収納した際にできる隙間（名刺係止部３２０）に名刺を係止させ、平面部材３１０の先端部に設けられたカメラ保持部３３０に携帯電話を載置して撮影する。
【００３９】
この場合、名刺を隙間に挟み込んで起立させ、携帯電話が垂直に載置されるように設計すれば、平面部材３１０の上面に対して９０°の角度をもって係止される名刺を、所定距離Ｍ離れた位置において、同様に９０°の角度で保持されたカメラ付き携帯電話で撮影できる。名刺に正対させてカメラが配置されるので、判読可能な状態に名刺を撮影することができる。
【産業上の利用可能性】
【００４０】
本発明は、名刺に限らず、定型サイズのカード類を撮影するための器具として、あらゆる産業分野における撮影補助具に適用することができる。
【符号の説明】
【００４１】
１，１００，２００，３００…名刺管理用補助具
２…名刺整理器
３…名刺
４，２０１，３０１…容器部
５…携帯電話
６…タグ
７…仕切り板
１０，３１０…平面部材
２０，１２０，２２０，３２０…名刺係止部
２１…奥壁部（当接部）
２２，２３…スペーサ
２４…ガイド部
３０，１３０，２３０，３３０…カメラ保持部
３１…斜壁部
３２…底面部
３３…突起部
１０１…下ケース
１０２…上ケース
１０３…収容部
１０４…上面部
１０５，１０６，１０７…側面部
１２１，２２１…当接部
１３１，２３１…斜辺部
１３２，２３２…底辺部
１３３…カメラ位置マーク
２０２，３０２…外箱体
【図１】
2014038317.tif 000003
【図２】
2014038317.tif 000004
【図３】
2014038317.tif 000005
【図４】
2014038317.tif 000006
【図５】
2014038317.tif 000007
【図６】
2014038317.tif 000008
【図７】
2014038317.tif 000009
【図８】
2014038317.tif 000010
【図９】
2014038317.tif 000011